(57)【要約】【課題】      建築現場にて多大な労力および時間を掛けずに、パイプスペースの外側を構成する建具のための建具ベースを提供する。【解決手段】  パイプスペースにおける建具７を支持する建具ベース１であり、長さ方向に延在する断面コ字形のベース本体２と、コ字形の底部２１においてベース本体と一体化された複数個の固定プレート３と、断面コ字形の複数個の補強部材４とからなり、固定プレートはアンカーボルト５用穴およびレベル調整用ボルト３１を具備しており、補強部材４はそのコ字形がベース本体のコ字形と向かい合わせになって、ベース本体１のコ字形の内側に嵌合し、ベース本体と一体化されており、ベース本体の長さ方向に見て、複数個の固定プレート３は互いに間隔を開けて配置され、複数個の補強部材４は互いに間隔を開けて配置され、固定プレート３と補強部材４は長さ方向において位置がずれて配置されている。【選択図】    図７
0003146897.tif 000002
【実用新案登録請求の範囲】
【請求項１】
パイプスペースにおける建具を支持する建具ベースであり、長さ方向に延在する断面コ字形のベース本体と、前記コ字形の底部において前記ベース本体と一体化された複数個の固定プレートと、断面コ字形の複数個の補強部材とからなり、前記固定プレートはアンカーボルト用穴およびレベル調整用ボルトを具備しており、前記補強部材はそのコ字形がベース本体のコ字形と向かい合わせになって、ベース本体のコ字形の内側に嵌合し、前記ベース本体と一体化されており、前記複数個の固定プレートは互いに間隔を開けて配置され、前記複数個の補強部材は互いに間隔を開けて配置され、前記固定プレートと前記補強部材は長さ方向において位置がずれて配置されていることを特徴とする建具ベース。
【請求項２】
ベース本体の前記コ字形の上部に建具枠固定ビス用穴が設けられていることを特徴とする請求項１記載の建具ベース。
【請求項３】
前記ベース本体のコ字形の底部において前記ベース本体と一体化された調整プレートが設けられており、該調整プレートはレベル調整用ボルトを具備しており、前記補強部材とは長さ方向において位置がずれて配置されていることを特徴とする請求項１または２に記載の建具ベース。
【請求項４】
ベース本体の前記コ字形の上部に垂直方向に突出したストッパー部が設けられていることを特徴とする請求項１〜３の何れか１項に記載の建具ベース。
【考案の詳細な説明】
【技術分野】
【０００１】
本考案は建具ベース、より詳しくは集合住宅等の建物の廊下に設置されるパイプスペースにおける建具（扉やパネル）を支持する建具ベースに関するものである。
【背景技術】
【０００２】
従来、マンションなどの集合住宅の廊下には各住戸毎にパイプスペースが設けられ、そこでは給水やガス等の竪配管と各戸への給水配管、ガス配管等が接続され、水道メーター、ガスメーターが設置され、更には給湯器が設けられたり、電線、電話線等も集中して配設されている。
【０００３】
従来の一般的な工法では、パイプスペースの外側を構成する建具（すなわち、扉やパネル）は、パイプスペース内の所定の配管工事終了後に、躯体をなすコンクリートに後施工アンカー工事により埋め込んだアンカーボルトに所望長さの鉄筋を介して支持する。この際に、アンカーボルトと鉄筋、および鉄筋と建具の下枠とを現場溶接により固着する。その後、現場で建具の下枠の下方およびパイプスペース内を下枠と同じ高さまでコンクリートを打設して綺麗に仕上げることが行われている。
【０００４】
一方、室内からパイプスペースへの配管を容易にするため、廊下側の外壁構造を工夫する提案が既になされている。例えば、特開２００３−３０１５４４号公報（特許文献１）では、外壁のベースブロックに配管や配線を通すための挿通穴を設けることが提案されている。また、特許第３８０８８５４号公報（特許文献２）には、間仕切り壁の基礎として断面コ字形の剛性基体を用い、剛性基体の鉛直帯板にパイプ等挿通孔を穿設し、そこにスリーブを設置することが提案されている。
【０００５】
また、パイプスペースに設置する配管をユニット化することも従来から提案されている。例えば、特開平１０−１４０６２９号公報（特許文献３）等には、配管ユニットは取付け・取外し自在な給水管およびガス配管と、水道メーター、給湯器、積算電力計およびその他の必要機器をユニットフレームに予め組付けたものであり、三方を壁で囲まれたパイプスペースの開口部の周囲に固定した点検扉サッシに対しユニットフレームを取付け取外し自在に組付けることが開示されている。特開平１１−３５０５４５号公報（特許文献４）では、更にユニットフレームに給水管、ガス配管、水道メーター、給湯器、積算電力計等の必要機器、更に点検ドアを工場内で組付けておくことが提案されている。
【特許文献１】特開２００３−３０１５４４号公報
【特許文献２】特許第３８０８８５４号公報
【特許文献３】特開平１０−１４０６２９号公報
【特許文献４】特開平１１−３５０５４５号公報
【考案の開示】
【考案が解決しようとする課題】
【０００６】
前述した特許文献１および２では、室内とパイプスペースの間の間仕切り壁の基礎に関する提案がなされているだけで、パイプスペースの外側の基礎に関しては何等の提案もされていない。また、特許文献３および４については、配管をユニット化するものであり、三方を壁で囲まれたパイプスペースに設置するものに適用できるが、壁が一方または二方の場合は考慮されていない。更に、配管ユニットはパイプスペースの広さや形状が異なるとそれぞれに準備しなければならないという問題がある。
【０００７】
パイプスペースの外側を構成する建具を設置する従来の一般的な工法では、溶接やコンクリートの打設など現場における作業が多く、しかも集合住宅では住居戸数に対応した数のパイプスペースを設置しなければならず、極めて多大な労力および時間が掛かるという問題がある。また、躯体をなすコンクリートの表面は精密な水平状態ではないので、建具を正確に設置することが難しい。
【０００８】
上述のような従来技術に付随する種々の問題点に鑑み、本考案は、建築現場にて多大な労力および時間を掛けずに、パイプスペースの外側を構成する建具のためのベースを設置できるような建具ベースを提供することを目的とする。
【課題を解決するための手段】
【０００９】
本考案は、パイプスペースにおける建具を支持する建具ベースであり、長さ方向に延在する断面コ字形のベース本体と、前記コ字形の底部において前記ベース本体と一体化された複数個の固定プレートと、断面コ字形の複数個の補強部材とからなり、前記固定プレートはアンカーボルト用穴およびレベル調整用ボルトを具備しており、前記補強部材はそのコ字形がベース本体のコ字形と向かい合わせになって、ベース本体のコ字形の内側に嵌合し、前記ベース本体と一体化されており、前記複数個の固定プレートは互いに間隔を開けて配置され、前記複数個の補強部材は互いに間隔を開けて配置され、前記固定プレートと前記補強部材は長さ方向において位置がずれて配置されていることを特徴とする建具ベースにより、前記目的を達成する。
【００１０】
本考案によれば、ベース本体のコ字形の上部に建具枠固定ビス用穴が設けられていてもよい。また、ベース本体のコ字形の底部において、ベース本体と一体化された調整プレートが設けられており、この調整プレートはレベル調整用ボルトを具備していることが好ましく、この場合、調整プレートと補強部材とは長さ方向において位置がずれて配置されている。
【００１１】
更に、ベース本体のコ字形の上部に垂直方向に突出したストッパー部が設けられていることが好ましい。
【考案の効果】
【００１２】
本考案の建具ベースを使用することにより、従来のような下枠の支えのための現場溶接を行う必要がなく、また従来は後工程であった下枠の支えを先に施工できるので、パイプスペース内のコンクリート工事（モルタル工事）を行う際に、型枠の設置および取外し作業が不要となり、労力を軽減できるとともに、施工に掛かる時間を短縮でき、コストを低減できる。
【００１３】
本考案の建具ベースは、建築現場以外で予め制作できるので、現場では躯体のコンクリートに下穴を穿ち、アンカーボルトにより本考案の建具ベースを固定するだけで、建具ベースを設置することができ、現場での設置が迅速に行える。
【００１４】
また、躯体のコンクリートが精密な水平状態でなくとも、ベース本体の下面から突出したレベル調整用ボルトの突出長さを調整することにより、建具ベース本体を水平に設置することができ、従って、建具ベースに取付けられる扉等の枠体（下枠）も水平に設置できる。扉が傾いて取付けられた場合には片当たりして開閉し難くなるが、本考案によればこのようなことは生じない。特に、固定プレートのレベル調整用ボルトとは別に、レベル調整用ボルトを具備した調整プレートを設けることにより、短い間隔で適確に水平レベルの調整を行うことができる。
【００１５】
本考案によれば、ベース本体と補強部材とはそれぞれの断面がコ字形で、両者が向かい合わせになっているので強度が高まり、同じ強度である場合には他の形態よりも材料の厚さを薄くしたり、補強部材の幅を短くできる。
【００１６】
ベース本体のコ字形の上部に建具枠固定ビス用穴を設け、建具枠にも固定ビス用穴を設けることにより、建具をビスで簡単に固定することができる。
【００１７】
ベース本体のコ字形の上部に垂直方向に突出したストッパー部を設けることにより、建具の下枠の位置決めを行い易い。
【００１８】
本考案の建具ベースは形状が限定されず、扉のみ、または扉とパネルを使用することにより、直線状、Ｌ字状またはコ字状とすることができ、パイプスペースが三方を壁で囲まれたものでも、二方が壁のものでも、一方が壁のものでも、広さに関わらず適用することができる。
【考案を実施するための最良の形態】
【００１９】
以下、図面に示した実施例に基いて本考案を詳細に説明する。図１はアールコーブとした玄関ポーチにパイプスペースを設置したものの平面図であり、図２はパネルを９０°捻った状態で示したパイプスペースの正面図であり、図３（ａ）は梁下における扉および本考案の建具ベースの一実施例の縦断面図、図３（ｂ）は天井下における扉およびの図３（ａ）に示した建具ベースの縦断面図、図４は梁下におけるパネルおよび本考案の建具ベースの一実施例の縦断面図、図５は本考案の建具ベースの平面図、図６は図４のVI−VI線に沿った本考案の建具ベースの横断面図、図７は図６のVII−VIIに沿った断面端面図、図８は図６のVIII−VIIIに沿った断面端面図、図９は図６のIX−IXに沿った断面端面図、図１０は図５のX−Xに沿った断面端面図である。
【００２０】
図１に示したパイプスペースＰＳは、マンションのアールコーブとした玄関ポーチ８０に設置されものである。図示した実施例では、パイプスペースＰＳはＬ形の壁８８の箇所に設置され、壁８８のＬ形と逆向きのＬ形の建具７により囲われている。図１および図２に示したものでは、Ｌ形の建具７は扉７１とパネル７２により構成されている。建具７は本考案の建具ベース１の上に取付けられる。
【００２１】
マンションでは水捌けのために、通常、玄関ドア８１から外廊下８２の手摺８４の下方に設けた排水溝８３に向かって矢印方向に床の仕上面８６は傾斜している（図２に点線８６で傾斜状態を示した）。このように仕上面８６に勾配をつけることが必要であるので、躯体のコンクリート床（床スラブ）８７（図３参照）に直接にパイプスペースＰＳの建具７（扉）を設置できず、建具７の下端が仕上面８６よりも高くすることが必要である。このため、従来はコンクリートを現場で打設して、建具の基礎とし高さを出すことが必要であったが、本考案の建具ベース１を使用すれば、図２や図３に示すように、床の仕上面８６よりも建具（扉７１）の下端面が上に位置するので、扉７１の開閉にも支障がない。
【００２２】
本考案の建具ベース１は、図３〜図１０に示すように、長さ方向に延在する断面コ字形のベース本体２と、複数個の固定プレート３と、断面コ字形の複数個の補強部材４とからなる。
【００２３】
図示した実施例では、特に図７〜図１０に示すように、ベース本体２の断面コ字形は、その下部２１よりも上部２２の幅が大きく、垂直部２３が長く、上部２２の端部が垂直方向に上向きに突出したストッパ部２４となっている、変形コの字状である。ベース本体２の上部２２には建具枠固定ビス用穴２５（図５参照）が形成されている。
【００２４】
図８に示すように、固定プレート３はアンカーボルト５締結用の穴（図示しないが、ボルトが入っている箇所に形成されている）およびレベル調整用ボルト３１を具備している。固定プレート３はベース本体２のコ字形の底部２１においてベース本体２と一体化されている。一体化する手段はビス止め、溶接、接着等適宜の方法により実施できる。
【００２５】
図９に示すように、補強部材４はそのコ字形がベース本体２のコ字形と向かい合わせになって、ベース本体２のコ字形の内側に嵌合しており、ビス止め、溶接、接着等の適宜の手段によりベース本体２と一体化されて矩形状断面の中空室を形成している。補強部材４は建具を取付けた際に荷重がかかる箇所に設けられる。
【００２６】
また、ベース本体２の長さが長い場合は、図６に示すように、レベル調整用ボルト６１を具備した調整プレート６を設けてもよい。調整プレート６は、図８に示した固定プレート３と同様に、ベース本体２のコ字形の底部２１においてベース本体２と一体化されている。
【００２７】
図５および図６に示すように、複数個の固定プレート３はベースプレート２の長さ方向に互いに間隔を開けて配置される。複数個の補強部材４もベースプレート２の長さ方向に互いに間隔を開けて配置される。同じく、調整プレート６を複数個設置する場合も、ベースプレート２の長さ方向に互いに間隔を開けて配置される。図５に示すように、固定プレート３、補強部材４および調整プレート６は建具ベースの長さ方向において位置がずれて配置される。
【００２８】
図５および図６に示した実施例では、建具ベース１が全体としてＬ字状に配置されている。この場合、Ｌ字の角部の固定プレート３を三角形状とすることが好ましい。なお、Ｌ字の角部は以下のように形成する。ベース本体２をコ字形に曲げる前の平板の状態で、予め下部２１と上部２２における角部の突き合わせになる部分をＶ状に切除しておき、次に、平板をコ字形に折り曲げて下部２１と上部２２を形成し、そして、Ｌ字の角部となる箇所を直角に折り曲げて、Ｖ状切除箇所の左右の下部２１および左右の上部２２をそれぞれ突き合わせる。
【００２９】
本考案の建具ベース１の材質は建具を支持するのに充分な強度を有するものであれば特に限定されないが、強度および耐久性の観点から金属製であることが好ましい。例えば、日新製鋼株式会社のＺＡＭ（登録商標）は鋼板に高耐食溶融めっきが施されたものであり、表面仕上げが綺麗であるので、塗装してもよいが、塗装しなくても充分に使用可能であり、本考案の建具ベースに使用するのに適している。また、他の鋼板でも塗装することにより、さび等に対する耐久性を高められる。
【００３０】
本考案の建具ベース１は建築現場ではなく、予め所定の寸法で制作しておく。（すなわち、ベース本体２、固定プレート３、補強部材４、必要なら調整プレート６も含めて一体化しておく。）そして、現場では躯体のコンクリート床８７に下穴を穿ち、アンカーボルト５により本考案の建具ベース１を固定する。その際、レベル調整用ボルト３１および６１を回し所定長さとし止めナットにより固定して水平レベルを調整し、建具ベース１を水平に設置する。
【００３１】
図３に示すように、扉７１を取付けるには、扉の枠体７３の底部７４（図１０参照）を従来のものよりも奥行きを長くして、そこに建具枠固定ビス用穴７４ａを形成しておく。枠体７３の固定ビス用穴と建具ベース１の建具枠固定ビス用穴２５とを一致させて、両者をビス２７により固定する。この場合、枠体７３の端部がベース本体２のストッパー部２４に当接すると、枠体７３のビス穴と建具ベース１のビス穴２５とが一致するように設計しておけば、ビス止め作業が行い易い。なお、扉７１用の下枠は本考案の建具ベース１に固定されるが、上枠および縦枠は従来と同じ仕様で天井や壁に固定されるので詳述しない。なお、図３（ａ）および図３（ｂ）は上枠の固定の仕様が梁下と他の天井部分で異なっていることを示している。その後、扉本体７１は枠体７３に従来と同じ仕様で取付ける。図３（ａ）には想像線（二点鎖線）７５で給湯器取付け枠が扉本体７１に取付けられることが示され、図３（ｂ）は扉本体７１のみが示されている。
【００３２】
図４は本考案の建具ベース１にパネル７２を取付けた状態を示している。基本的には扉７１の固定の仕方と同じであり、パネル７２の枠部分７３の底部７４に固定ビス用穴を形成しておき、ビス２７により本考案の建具ベース１に固定される。
【００３３】
図５および図６に示した建具ベース１はＬ字状であったが、パイプスペースＰＳの設置場所に合わせて、本考案の建具ベース１は直線状のベース本体を組合せることによりコ字状としたり、直線状のまま使用してもよい。
【図面の簡単な説明】
【００３４】
【図１】アールコーブとした玄関ポーチにパイプスペースを設置したものの平面図である。
【図２】パネルを９０°捻った状態で示したパイプスペースの正面図である。
【図３】図３（ａ）は梁下における扉および本考案の建具ベースの一実施例の縦断面図、図３（ｂ）は天井下における扉およびの図３（ａ）に示した建具ベースの縦断面図である。
【図４】梁下におけるパネルおよび本考案の建具ベースの一実施例の縦断面図である。
【図５】本考案の建具ベースの平面図である。
【図６】図４のVI−VI線に沿った本考案の建具ベースの横断面図である。
【図７】図６のVII−VIIに沿った断面端面図である。
【図８】図６のVIII−VIIIに沿った断面端面図である。
【図９】図６のIX−IXに沿った断面端面図である。
【図１０】図５のX−Xに沿った断面端面図である。
【符号の説明】
【００３５】
１  建具ベース
２  ベース本体
３  固定プレート
４  補強部材
５  アンカーボルト
６  調整プレート
７  建具
２７  建具枠固定ビス
３１  レベル調整用ボルト
【図１】
0003146897.tif 000003
【図２】
0003146897.tif 000004
【図３】
0003146897.tif 000005
【図４】
0003146897.tif 000006
【図５】
0003146897.tif 000007
【図６】
0003146897.tif 000008
【図７】
0003146897.tif 000009
【図８】
0003146897.tif 000010
【図９】
0003146897.tif 000011
【図１０】
0003146897.tif 000012